【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
複数の動作モードを実現するように構成されたコントローラと、
前記コントローラに命令を入力するためのユーザインターフェイスとを含み、
前記ユーザインターフェイスは、可搬電子式照明装置の予め定めた動きを通して命令が入力される移動検出インターフェイスを含む、マルチモード可搬電子式照明装置であって、
前記コントローラは、該マルチモード可搬電子式照明装置が第１の所定の動作で移動させられたと前記コントローラが判定したときに、新しい動作モードを実現するように構成されている、マルチモード可搬電子式照明装置。
【請求項２】
前記ユーザインターフェイスは、前記コントローラに電気的に接続された慣性センサを含む、請求項１のマルチモード可搬電子式照明装置。
【請求項３】
前記慣性センサは、加速時計を含む、請求項２のマルチモード可搬電子式照明装置。
【請求項４】
前記加速時計は、３軸加速時計である、請求項３のマルチモード可搬電子式照明装置。
【請求項５】
前記コントローラは、異なる動作モードの間で選択するために、前記ユーザインターフェイスからの選択命令を受け取るように構成されている、請求項１のマルチモード可搬電子式照明装置。
【請求項６】
前記コントローラは、さらに、一度、少なくとも１つの動作モードが選択されて、選択された動作モードが前記ユーザインターフェイスから受け取った調節命令に基づいて調節され得るように構成されている、請求項５のマルチモード可搬電子式照明装置。
【請求項７】
前記コントローラは、１以上の動作モードのいずれかが選択されたなら、それらの動作モードを調節するための調節命令を受け取るように構成されている、請求項１のマルチモード可搬電子式照明装置。
【請求項８】
可搬電源を使用して動作するように構成された可搬照明装置であって、
光源と、
前記光源を前記可搬電源に電気的に接続する主電力回路であって、前記光源と電気的直列に配設された電子式電力スイッチを含む主電力回路と、
少なくとも１つの出力を有する慣性センサと、
前記可搬電源に電気的に接続されたコントローラとを含み、
前記コントローラは、前記前記主電力回路の前記電子式電力スイッチおよび前記光源を通した電力の流れを制御するための制御信号を提供するための出力を含み、前記慣性センサの少なくとも１つの出力に電気的に接続されており、前記慣性センサの少なくとも１つの出力から受け取った１以上の信号に基づいて、前記電子式電力スイッチを通した電力の流れを制御するように構成されており、
前記コントローラは、少なくとも２つの動作モードを提供するような方法で前記電子式電力スイッチを制御するように構成され、前記コントローラは、前記慣性センサの少なくとも１つの出力から受け取った１以上の信号に基づいて該可搬照明装置が第１の所定の態様で移動したと前記コントローラが判定したときに、新しい動作モードに切り換えるように構成されている、可搬照明装置。
【請求項９】
前記慣性センサは、加速時計を含む、請求項８の可搬照明装置。
【請求項１０】
前記加速時計は、３軸加速時計である、請求項９の可搬照明装置。
【請求項１１】
前記加速時計は、前記コントローラの１以上のデータポートと接続された１以上のアナログ出力を含む、請求項９の可搬照明装置。
【請求項１２】
前記加速時計は、前記コントローラの１以上のデータポートと接続された１以上のディジタル出力を含む、請求項９の可搬照明装置。
【請求項１３】
前記コントローラは、前記電子式電力スイッチを制御して、複数の動作モードを提供するように構成されており、前記コントローラは、該可搬照明装置が前記第１の所定の態様で移動したと前記コントローラが判定する度に、複数の異なる動作モードの他の１つに切り換える、請求項８の可搬照明装置。
【請求項１４】
前記コントローラは、該可搬照明装置が第２の所定の態様で移動したと前記コントローラが判定したときに、少なくとも１つの動作モードを調節するように構成されている、請求項８の可搬照明装置。
【請求項１５】
少なくとも１つの動作モードは、可変明るさモードを含み、前記コントローラは、前記第２の所定の態様の移動量に基づいて明るさを変更するように構成されている、請求項１４の可搬照明装置。
【請求項１６】
少なくとも１つの動作モードは信号モードであり、前記コントローラは、該可搬照明装置が前記第２の所定の態様で移動させられたことを前記コントローラが検出したときに、光源を消灯し、該可搬照明装置が反対の態様で移動させられたことを前記コントローラが検出したときに、前記光源を再点灯するように構成されている、請求項１４の可搬照明装置。
【請求項１７】
少なくとも１つの動作モードは、視認可能な点滅モードであり、該可搬照明装置が前記第２の所定の態様で移動させられたと前記コントローラが判定したときに、前記点滅の周波数が変更される、請求項１４の可搬照明装置。
【請求項１８】
少なくとも１つの動作モードは、ＳＯＳモードであり、該可搬照明装置が前記第２の所定の態様で移動させられたと前記コントローラが判定したときに、前記光源の明るさが調節される、請求項１４の可搬照明装置。
【請求項１９】
前記光源が通電されたときに、前記光源は、投光の主軸に沿って光を投光するように構成されている、請求項８の可搬照明装置。
【請求項２０】
該可搬照明装置が前記投光の主軸の回りに第１の方向または回転方向に回転させられたときに、該可搬照明装置は、前記第１の所定の態様で移動させられる、請求項１９の可搬照明装置。
【請求項２１】
前記コントローラは、新しい動作モードに切り換えるために、該可搬照明装置が最初の回転位置から前記第１の方向に所定量だけ回転させられるように構成されている、請求項２０の可搬照明装置。
【請求項２２】
前記コントローラは、さらに、新しい動作モードに切り換えた後に、前記第１の方向のさらなる回転が前記コントローラに他の新しい動作モードへの切り換えを生じさせる前に、該可搬照明装置を最初の回転位置に逆に回転して戻されなければならないように構成されている、請求項２１の可搬照明装置。
【請求項２３】
前記回転の第１の方向は、時計回りである、請求項２０の可搬照明装置。
【請求項２４】
前記コントローラは、該可搬照明装置が前記投光の主軸の回りに時計回りに回転させられたと、前記コントローラが判定したとき、動作モードを調節するように構成されている、請求項２３の可搬照明装置。
【請求項２５】
前記回転の第１の方向は、反時計回りである、請求項２０の可搬照明装置。
【請求項２６】
前記コントローラは、該可搬照明装置が前記投光の主軸の回りに反時計回りに回転させられたと、前記コントローラが判定したとき、動作モードを調節するように構成されている、請求項２５の可搬照明装置。
【請求項２７】
前記コントローラは、該可搬照明装置が前記第１の所定の態様で移動し、且つ、モード選択機能が有効になっていると前記コントローラが判定したときだけ、新しい動作モードに切り換えるように構成されている、請求項８の可搬照明装置。
【請求項２８】
前記コントローラは、前記コントローラと電気的に接続された瞬時スイッチが押下されて保持されているときに、前記選択機能が有効になるように構成されている、請求項２７の可搬照明装置。
【請求項２９】
前記光源は、ＬＥＤからなる、請求項８の可搬照明装置。
【請求項３０】
光源と、
前記光源を前記可搬電源に電気的に接続する主電力回路であって、前記光源と電気的直列に配設された電子式電力スイッチを含む主電力回路と、
少なくとも１つの出力を有する加速時計と、
前記可搬電源に電気的に接続されたコントローラとを含み、
コントローラは、前記前記主電力回路の前記電子式電力スイッチおよび前記光源を通した電力の流れを制御するための制御信号を提供するための出力を含み、前記加速時計の少なくとも１つの出力に電気的に接続されており、少なくとも２つの異なる動作モードを提供するような方法で前記電子式電力スイッチを通した電力の流れを制御するように構成されており、且つ、前記加速時計の少なくとも１つの出力から受け取った１以上の信号に基づいて、該可搬照明装置が第１の所定の態様で移動させられたと前記コントローラが判定したときに、新しい動作モードに切り換えるように構成されている、懐中電灯。